(57)【特許請求の範囲】
【請求項１】
毛管作用により液体を移動させる導液路と、供給源からの液体を該導液路に導くように該導液路に接続する小孔部とを備えており、
前記小孔部及び導液路は、細管の一部を遮蔽部によって遮ることにより形成されており、前記遮蔽部の上面が傾斜面を備えることにより、前記小孔部から前記導液路への移行部は傾斜面とされており、前記細管における前記傾斜面より上方の部分が前記小孔部になっていることを特徴とする通液構造。
【請求項２】
前記傾斜面は、液体の流入時に前記小孔部内に付着する空気塊を、該傾斜面から作用する
液圧反力により該小孔部内から押し出すように傾斜していることを特徴とする請求項１に
記載の通液構造。
【請求項３】
前記液体の粘度は、９０〜１０００ｍＰａ・ｓであることを特徴とする請求項１または２
に記載の通液構造。
【請求項４】
前記遮蔽部は、前記細管に嵌入した嵌入体により形成されており、前記導液路は、前記嵌
入体の外壁面を前記細管の軸線方向に延びる縦溝と前記細管の内壁面とによって形成され
、前記嵌入体の上面が傾斜面を備えていることを特徴とする請求項１から３のいずれかに
記載の通液構造。
【請求項５】
前記導液路は、前記遮蔽部内に設けられ前記細管の軸線方向に延びる貫通孔によって形成
されていることを特徴とする請求項１から３のいずれかに記載の通液構造。
【請求項６】
断続的に流れる液体に薬液容器内の薬液を供給するための薬液供給装置であって、
薬液容器を支持する支持体と、
薬液容器より下方で該支持体に支持され、薬液容器からの薬液を、断続的に流れる液体と
接触する位置へ案内する案内部材と、
薬液容器から前記案内部材に薬液を供給するように延びた供給部とを備えており、
該供給部は、液体供給源からの液体を導く細管を備え、該細管の一部を遮蔽部によって遮ることにより、薬液を前記案内部材に導くための小孔部と、薬液の緩徐排出を行なうための導液路が形成されており、
前記小孔部及び導液路は、前記遮蔽部の上面が傾斜面を備えることにより、前記小孔部から前記導液路への移行部は傾斜面とされており、前記細管における前記傾斜面より上方の部分が前記小孔部になっていることを特徴とする薬液供給装置。
【請求項７】
断続的に流れる液体に薬液容器内の薬液を供給するための薬液供給装置であって、
薬液容器を支持する支持体と、
薬液容器より下方で該支持体に支持され、薬液容器からの薬液を、断続的に流れる液体と
接触する位置へ案内する案内部材と、
薬液容器から前記案内部材に薬液を供給するように延びた供給部とを備えており、
該供給部は、液体供給源からの液体を導く細管を備え、該細管は、毛管作用により液体の
緩徐排出を行なうための導液路を備えており、
前記導液路は、前記支持体の底壁から上方へ延びて前記細管内に嵌入した嵌入体により前
記細管の一部を遮ることによって形成されており、前記導液路は、前記嵌入体の外壁面を
前記細管の軸線方向に延びる縦溝と前記細管の内壁面とによって形成されており、前記導
液路の上方に空気溜まりを生じないように該導液路の上端が前記細管の上端とほぼ同じ高
さに達していることを特徴とする薬液供給装置。
【請求項８】
請求項６又は７に記載の薬液供給装置であって、さらに、薬液容器の温度変動により薬液
容器から前記案内部材へ薬液が流出するのを防止する調整機構を備え、該調整機構は、前
記支持体に支持された緩衝室と、該緩衝室の上部に設けられた空気流通孔と、該緩衝室に
連通するように前記供給部の下部に設けられた緩衝孔とを備えていることを特徴とする薬
液供給装置。
【発明の詳細な説明】
【技術分野】
【０００１】
本発明は、液体を毛管作用により緩徐的に通す通液構造、及び、該通液構造を備え、断続的に流下する液体により薬液を排出させる薬液供給装置に関する。
【背景技術】
【０００２】
この種の通液構造を備えた薬液供給装置としては、例えば、水洗トイレにおける貯水タンク上部の手洗い部に配置され、放水タップから手洗い部に供給される水とともに貯水タンク内に薬液を供給するものが提案されている（特許文献１）。この薬液供給装置は、図１から図４に基本構造を示すように、薬液容器１を支持する支持体２を備え、該支持体に装着された薬液の案内部材５が貯水タンクに流入する水と接触するように、手洗い部Ａに置かれる。薬液は、上下方向に延びる管を備えた供給部４を通じて、薬液容器１から案内部材５に供給される。支持体２には、さらに調整機構が設けられている。この調整機構は、流水への接触等により薬液容器１の温度が変動したときに、薬液容器１から案内部材５への薬液の余分な流出やその逆流が生じるのを防止するものである。調整機構は、支持体２の内側に形成された環状の起立壁２３にカバー部材３を被せて形成された緩衝室６と、該緩衝室の上部に設けられた空気流通孔３４３と、該緩衝室に連通するように供給部４の下部に設けられた緩衝孔４１４とを備えている。
【０００３】
この薬液供給装置は、次のように作用する。すなわち、温度が上昇し、薬液容器１内の圧力が上昇した場合には、薬液容器内の芳香洗浄剤は、緩衝孔４１４から流れ出し緩衝室内に流入する。一方、温度が低下し、薬液容器１内の圧力が低下すると、緩衝室６内の芳香洗浄剤が緩衝孔４１４を介して薬液容器内へ引き戻され、緩衝室内に薬液がない場合は緩衝孔から空気が吸引される。このような構成により、温度変化の繰り返しがあっても芳香洗浄剤が無駄に流出するのを防止することができる。特に、薬液容器の温度変化は、室温の変化と手洗い部への流水の接触との双方で生じるので、これによる薬液の無駄な流出を防止することは、薬液の長期使用を可能にする上で重要である。
【０００４】
このように、上記薬液供給装置は、緩衝室６の設置により、薬液の余分な流出が防止され、その結果、薬液容器１から案内部材５へ薬液を正確な量で導出することが可能となり、長期使用が実現される。
【特許文献１】特開２００４−３００８６１公報
【発明の開示】
【発明が解決しようとする課題】
【０００５】
ところが、この薬液容器１には、以下の問題が生じることがあった。図１４は、薬液供給装置１の供給部４を詳細に示す図である。供給部４は、下端部が薬液を案内部材５に導くための細管４１０となっており、該小孔部には、支持体２の底壁から上方へ延びた嵌入体４２が嵌入している。そして、嵌入体の外壁面に設けられた縦溝４２１と前記小孔部の内壁面とにより、薬液の緩徐排出を行なうための細い導液路４２１ａが形成されている。したがって、薬液容器１内の薬液は、供給部４を通り、導液路４２１ａから僅かずつ案内部材５へと導かれる。
【０００６】
この薬液供給装置は、使用開始時には、支持体２から分離されている薬液容器１を、支持体２上の供給部４に上方から押し込み、薬液容器１下面の封止シールを破る。これにより、薬液は供給部４内へと流れ込み、案内部材５に達して、使用可能状態となる。
【０００７】
ところが、供給部４の下端部は、薬液を案内部材５に導くための細管４１０となっており、導液路４２１ａを形成するための嵌入体４２は、下方から細管４１０内に延び、細管４１０の半ばの高さに留まっている。したがって、嵌入体４２の水平な上面より上方に円柱状の小孔部４１２が形成されている。この状態で、薬液が供給部４の上方から小孔部４１２に入ろうとしても、細管４１０の内壁に空気塊が付着して気泡状となり、薬液は小孔部４１２内に進入しないという現象が生じることがあった。多くの場合は、薬液供給装置を手で打つなどして軽い振動を与えたり、薬液容器を絞るように圧迫したりすれば、薬液は小孔部内の空気と入れ替わり、小孔部４１２内へと進入することになる。しかしながら、場合によっては、それでも薬液が進入せず、案内部材５に薬液が到達しない結果、使用に支障を来す場合があった。
【０００８】
また、薬液容器１内の薬液が使い尽くされた場合には、その薬液容器１を取り外し、新しい薬液容器１を上記と同様にして支持体２に取り付けるが、この場合にも、同様に薬液が案内部材５に到達しないという問題を生じることがあった。
【０００９】
この他、毛管作用により液体を移動させる導液路を備えた通液構造は、芳香剤、消臭剤又は防虫剤を揮発用含浸体に微量ずつ供給する薬液揮散装置、肥料や害虫駆除剤を植物の根に与えるために土中に微量ずつ供給する薬液供給具、菌類等の培地に培養液を微量ずつ供給する培養液供給装置、液状の医薬を患者の体内に微量ずつ供給する投薬装置等、様々な物品において用いられているが、導液路に接続する小孔部や細管は供給源からの液体を導液路に導くために導液路より僅かに大きい程度の小径となっているので、小孔部や細管内に空気塊が付着し気泡状となって液体が進入するのを妨げ、物品の機能に支障を来すことがある。
【００１０】
本発明は、このような従来技術の問題を解決し、毛管作用により液体を移動させる導液路に対して確実に液体を到達させることができる通液構造を提供することを目的とする。
【００１１】
本発明はまた、薬液容器からの薬液を、導液路を経て確実に案内部材まで到達させることができる薬液供給装置を提供することを目的とする。
【課題を解決するための手段】
【００１２】
本発明は、前記目的を達成するため、毛管作用により液体を移動させる導液路と、該導液路の入口の上方に形成され供給源からの液体を該導液路に導くように該導液路より僅かに大きい断面を有し該導液路に接続する小孔部とを備えており、前記導液路に接続する該小孔部の下面は傾斜面を備えていることを特徴とする通液構造を提供するものである（第１発明）。
【００１３】
本発明はまた、前記目的を達成するため、上記に記載の通液構造を備え、断続的に流れる液体に薬液容器内の薬液を供給する薬液供給装置であって、薬液容器を支持する支持体と、薬液容器より下方で該支持体に支持され、薬液容器からの薬液を、断続的に流れる液体と接触する位置へ案内する案内部材と、薬液容器から前記案内部材に薬液を供給するように延びた供給部とを備えており、前記供給部は、下端部が薬液を前記案内部材に導くための小孔部となっており、該小孔部には、薬液の緩徐排出を行なうための導液路が接続されていることを特徴とする薬液供給装置を提供するものである（第２発明）。
【００１４】
本発明はまた、前記目的を達成するため、断続的に流れる液体に薬液容器内の薬液を供給するための薬液供給装置であって、薬液容器を支持する支持体と、薬液容器より下方で該支持体に支持され、薬液容器からの薬液を、断続的に流れる液体と接触する位置へ案内する案内部材と、薬液容器から前記案内部材に薬液を供給するように延びた供給部とを備えており、該供給部は、液体供給源からの液体を導く細管を備え、該細管は、毛管作用により液体の緩徐排出を行なうための導液路を備えており、前記導液路は、前記支持体の底壁から上方へ延びて前記細管内に嵌入した嵌入体により前記細管の一部を遮ることによって形成されており、前記導液路は、前記嵌入体の外壁面を前記細管の軸線方向に延びる縦溝と前記細管の内壁面とによって形成されており、前記導液路の上方に空気溜まりを生じないように該導液路の上端が前記細管の上端とほぼ同じ高さに達していることを特徴とする薬液供給装置を提供するものである（第３発明）。
【発明の効果】
【００１５】
上記第１発明によれば、以下の効果を奏する通液構造を提供することができる。すなわち、該通液構造は、毛管作用により液体を移動させる導液路と、供給源からの液体を該導液路に導くように該導液路より僅かに大きい断面を有した小孔部とを備えている。したがって、供給源から小孔部へ供給された液体は、導液路に導かれ、導液路に沿って毛管作用により移動する。
【００１６】
小孔部の断面は、孔の断面である水平断面であり、小孔部は少なくとも前記導液路の直上部分において断面が導液路より僅かに大きくなっている。
【００１７】
この場合、小孔部は、孔の断面が小さいので、液体が小孔部内に入ろうとしたときに、該小孔部内の空気は小孔部の内壁に付着し気泡状の空気塊となって残留し、液体が小孔部内に進入するのを妨げることがある。しかしながら、本発明においては、前記導液路に接続する該小孔部の下面は傾斜面を備えている。したがって、液体供給時に小孔部内に空気が存在しても、小孔部の上方から空気塊に作用する液圧が、傾斜面を通じて作用することにより、空気塊は上方へ向かって小孔部外へ押し出される。その結果、液体は、小孔部内に進入し導液路に沿って導かれることになる。
【００１８】
前記傾斜面は、液体の流入時に前記小孔部内に付着する空気塊を、該傾斜面から作用する液圧反力により該小孔部内から押し出すように傾斜しているものとすることができる。すなわち、その傾斜面がなければ、前記小孔部内には空気が付着したままとなり、液体は小孔部内に進入し得ないのであるが、上記のように傾斜面を形成することによって、液体は、確実に小孔部内に進入し導液路に沿って導かれることになる。
【００１９】
前記通液構造は、前記小孔部及び導液路を形成する細管を備え、前記導液路は、該細管の一部を遮蔽部によって遮ることにより形成されており、該遮蔽部の上面が前記傾斜面を備えたものとすることができる。この構造によれば、小孔部及び導液路を一体的に形成することができ、微細な径を有した導出路を含む精密な構造体を確実容易に製造することができる。
【００２０】
前記通液構造は、前記遮蔽部が、前記細管に嵌入した嵌入体により形成されており、前記導液路は、前記嵌入体の外壁面を前記細管の軸線方向に延びる縦溝と前記細管の内壁面とによって形成され、前記嵌入体の上面が傾斜面を備えているものとすることができる。この場合は、製造のためのモールド成形型は、嵌入体側の型には、嵌入体に対応した凹部と、縦溝に対応する縦状の突起とを設け、細管側の型には、細管に対応する環状凹所を設けて、各々成形すればよい。したがって、細い導液路に対応した細長い針状部分などを製造型に設ける必要がなく、損傷を生じ難い型による安定した製造が可能となる。
【００２１】
或いは、前記通液構造は、前記導液路が、前記遮蔽部内に設けられ前記細管の軸線方向に延びる貫通孔によって形成されたものとすることができる。この場合は、導液路を精密モールド成形又は、成形後の微細ドリルによる孔明け加工により、精密に形成することができる。
【００２２】
上記第２発明によれば、以下の効果を奏する薬液供給装置を提供することができる。すなわち、この薬液供給装置は、薬液容器を支持する支持体と、薬液容器より下方で該支持体に支持され、薬液容器からの薬液を、断続的に流れる液体と接触する位置へ案内する案内部材と、薬液容器から前記案内部材に薬液を供給し得るように上下方向に延びた供給部とを備えている。したがって、例えば、水洗トイレ等のように断続的に液体が流れる場所に、この薬液供給装置を設置することにより、薬液容器から案内部材上に案内された薬液を該液体に担持させることができる。そして、前記供給部は、下端部が薬液を前記案内部材に導くための小孔部となっており、該小孔部には、薬液の緩徐排出を行なうための導液路が接続されている。このように、供給部が前述の通液構造を形成しているので、該通液構造により案内部材への安定した液体の供給が可能となる。
【００２３】
上記第３発明によれば、以下の効果を奏する薬液供給装置を提供することができる。すなわち、この薬液供給装置は、上記薬液供給装置と同様に、断続的に液体が流れる場所に、この薬液供給装置を設置することにより、薬液容器から案内部材上に案内された薬液を該液体に担持させることができる。そして、前記導液路は、前記支持体の底壁から上方へ延びて前記細管内に嵌入した嵌入体により前記細管の一部を遮ることによって形成されており、前記導液路は、前記嵌入体の外壁面を前記細管の軸線方向に延びる縦溝と前記細管の内壁面とによって形成されており、前記導液路の上方に空気溜まりを生じないように該導液路の上端が前記細管の上端とほぼ同じ高さに達している。このように、嵌入体の縦溝により小孔部の内壁面とにより導液路が形成され、該導液路の上方に空気溜まりを生じないように該導液路の上端が前記細管の上端とほぼ同じ高さに達しているので、薬液が、導液路に進入する際に、細管内に微小気泡が存在して進入を妨げるということがない。その結果、薬液は、毛管作用により導液路を経て確実に案内部材に到達する。
【００２４】
さらに、上記第２発明及び第３発明の薬液供給装置は、薬液容器の温度変動により薬液容器から前記案内部材へ薬液が流出するのを防止する調整機構とを備え、該調整機構は、前記支持体に支持された緩衝室と、該緩衝室の上部に設けられた空気流通孔と、該緩衝室に連通するように前記供給部の下部に設けられた緩衝孔とを備えたものとすることができる。この場合は、通常時においては、供給部の下端部に形成された細孔による導液路から薬液が案内部材に供給され、薬液容器の温度が上昇し容器内の圧力が上昇したときには、緩衝孔から薬液が流出して緩衝室に流入し、導液路からの過剰な薬液の流出を防止する。また、薬液容器の温度が低下して容器内の圧力が低下したときには、緩衝室に一時的に貯えられた薬液が緩衝孔を通って薬液容器に戻され、緩衝室内に薬液がない場合は緩衝孔から空気が吸引される。特に、通常時に薬液を供給するのは、細孔による導液路であるので、薬液の排出を緩徐的にする。
【発明を実施するための最良の形態】
【００２５】
以下、本発明に係る通液構造を有した薬液供給装置の実施形態について添付図面を参照しつつ説明する。図面に示す実施形態中、同一又は同種の部材には同一の番号を付して説明を省略することがある。
【００２６】
本発明の実施形態に係る薬液供給装置は、前述の図１から図４の基本構造を備えるものであり、以下にその詳細を説明する。図１は、水洗トイレにおける貯水タンク上部の手洗い部に配置される薬液供給装置の正面図（ａ）及び側面図（ｂ）であり、図２は薬液供給装置の分解図である。
【００２７】
図１及び図２に示すように、この薬液供給装置は、芳香洗浄剤等の薬液を収容する薬液容器１と、この薬液容器１を支持するカップ状の支持体２と、支持体２内に取り付けられ薬液容器１に接続されるカバー部材３と、薬液容器より下方で支持体２に支持され、薬液容器からの薬液を、断続的に流れる液体と接触する位置へ案内する案内部材５とを備えている。
【００２８】
この薬液供給装置は、支持体２の脚部が手洗い部の排出口Ｂに挿入されるようにして、貯水タンク上部の手洗い部Ａに設置される。
【００２９】
図３は薬液容器１の縦断正面図である。薬液容器１は、図示のように、隣接する１対の薬液収納部１１を備え、各薬液収納部１１の下端には、薬液排出のための口部１２が形成されている。薬液収納部１１は、一部又は全体が透明又は半透明の材料で構成され、外部から芳香洗浄剤などの薬液の残量が確認できるようになっている。口部１２は、製造後の流通及び保管時には図外のキャップで閉じられ、使用時に開封される。
【００３０】
図４はカバー部材３の平面図（ａ）及び正面断面図（ｂ）である。図４に示すように、カバー部材３は、１対の円筒状部分３１が板状の結合部３２で結合されて平面視瓢箪形をなしている。円筒状部分３１の各々は、側壁３３と上壁を備えており、上壁を供給部４が貫き、下端は開放されている。該円筒状部分３１の上壁は、供給部４を囲む下段壁３４１と、１対の円筒状部分３１の外側において下段壁３４１より高い位置にあり、平面視三日月状をなす上段壁３４２とからなり、上段壁３４２には空気流通孔３４３が複数個（この例では４個）設けられている。
【００３１】
供給部４は、カバー部材３の一部として一体的に形成され下段壁３４１を貫いて延びる管状部４１と、支持体２と一体的に形成され支持体の底壁から上方へ延びる嵌入体４２（後述）とを備え、薬液を薬液容器１から案内部材５に通す給液路を形成している。この円筒状部分３１が、後述する上部部材を構成している（以下、上部部材も３１で示す）。
【００３２】
管状部４１は、下段壁３４１を貫いて延び上端が薬液容器１の口部１２に接続される接続部４１１と、該接続部４１１の下端に連続する小径の細管４１０とを備えている。接続部４１１の下端には、細管４１０の上端を囲む仕切壁４１３が設けられ、該仕切壁４１３には、緩衝孔４１４が複数（この例では３個）形成されている。
【００３３】
図５は、支持体２の平面図（ａ）及び正面断面図（ｂ）であり、図６は、支持体とカバー部材３とを分解して示す斜視図（ａ）、及びこれらを合体した状態で示す正面断面図（ｂ）である。支持体２は、図５に示すように、底壁２１と、側壁２２とを備えている。底壁２１上には、カバー部材３の側壁３３外面に嵌合する瓢箪形の起立壁２３が形成されている。起立壁２３にカバー部材３を嵌め込むことにより、１対の円筒状部分３１と支持体２底壁２１との間に緩衝室６が形成される（図６（ｂ）参照）。このように、起立壁２３と該起立壁に囲まれた底部壁２１の部分とは、緩衝室６を形成する下部部材を構成している。なお、下部部材は上記のように支持体２と一体的に設けてもよいし、別個に形成して支持体２に接着、ねじ止め等により結合して設けるようにしてもよい。
底壁２１と側壁２２には、貯水タンク放水タップからの水が支持体２内部へ流入したときにその水を外部へ排出するための開口２４が起立壁２３の外側の位置に複数形成されている。この開口２４は、排出に必要な大きさと個数（１個または複数個）とされる。
【００３４】
図７は、図６に示したカバー部材３の細管４１０及び支持体２の嵌入体４２の嵌合について詳細に示す図であり、図６における右側の細管４１０及び嵌入体４２を中心に示している。図７（ａ）は嵌合前の状態を示す斜視図、図７（ｂ）は嵌合後の状態を示す縦断面図である。
【００３５】
図７に示すように、支持体の底壁２１から上方へ延びる嵌入体４２は、細管４１０下端の内側面に嵌合する径とされている。嵌入体４２の外側面には、上端から下端まで延びる縦溝４２１が形成されており、該縦溝４２１は、細管４１０の内壁面との間に導液路４２１ａを形成する。そして、嵌入体４２の上面は、液体の供給方向を下向きとし、縦溝４２１（導液路４２１ａ）に向かって下降する傾斜面４２２とされ、上端は細管４１０の上端とほぼ同じ高さとなっている。傾斜面４２２の傾斜は、この実施形態では４５度とされている。その結果、細管４１０における傾斜面４２２より上方の部分は、導液路４２１ａの入口の上方に形成され液体を導液路に導くように該導液路より僅かに大きい断面を有した小孔部４１２となっている。これら細管４１０及び嵌入体４２によって形成される小孔部４１２、導液路４２１ａにより、本発明の一実施形態に係る通液構造が構成されている。
【００３６】
この通液構造により、薬液が薬液容器から供給部４に供給される際、小孔部４１２内に空気が存在しても、小孔部の上方から空気塊に作用する液圧が、傾斜面４２２により斜めに作用することにより、空気塊は小孔部外へ押し出される。その結果、液体は、小孔部４１２内に進入し導液路４２１ａに沿って導かれ、案内部材５に到達する。また、液圧による押し出し力が作用しているので、たとえ、小孔部４１２内の空気塊と薬液との入れ替わりが円滑に行なわれない場合でも、薬液供給装置を手で打つなどして軽い振動を与えたり、薬液容器を絞るように圧迫したりすれば、薬液は容易に小孔部内の空気と入れ替わり、小孔部４１２内へと進入することになる。  水洗トイレの水に加えることにより芳香、消臭、洗浄作用等を付与する薬液は、通常、９０〜１０００mPa・s程度（液温２５℃において）の粘度を有している。そして、この種の薬液を使用する薬液供給装置においては、広くは、小孔部の断面が導液路の断面より大きい範囲において小孔部の孔の断面積は３〜１００ｍｍ2、導液路の断面積は０．０１〜３０ｍｍ2程度とされ、一般的には、小孔部の孔の断面積は３〜３０ｍｍ2、導液路の断面積は０．０１〜４ｍｍ2程度とされる。このような薬液供給装置においては、薬液供給装置の使用開始時や薬液容器の取り替え時に、小孔部での空気塊の残留が問題となりやすい。本発明は、このような場合に特に有効であり、前述のようにして、薬液を確実に小孔部内へ進出させ、導液路を経て案内部材に到達させることができる。尤も、本発明が上記の場合に限定されないのは勿論である。
【００３７】
縦溝４２１の断面形状は、図８に示すように、この例の半円形（ａ）や円形、長円形の他、三角形（ｂ）、四角形（ｃ）などの角形など、種々の断面形状とすることができる。その断面寸法は、毛管作用により薬液を導液路４２１ａに沿って緩徐的に導出し得る程度とするのが望ましい。また、導液路４２１ａは、少なくとも１箇所に角部を有する形状とするのが望ましい。さらに、この例では、細管４１０との嵌合状態を確実に保持するために、細管４１０下端の外側面に嵌合する環状部４３が支持体２底面から上方へ延びている。図９に示すように、底壁２１における嵌入体４２と環状部４３との間には、通孔４４が形成されている。
【００３８】
この導液路４２１ａの下方には、導出された薬液を案内する案内部材５が設けられている。案内部材５は、１対の導液路４２１ａを下方から覆う幅を有した板状に形成されており、上端部が各導液路４２１ａ下端の開口縁に近接した位置から下方へ延びている。導液路４２１ａ下端開口縁は、縦溝４２１の下端縁と細管４１０の内周面で囲まれた部分である。したがって、導液路４２１ａを流下した薬液は、底壁２１及び案内部材５の上面と細管４１０下端との間隙４２３を経て通孔４４を通り、案内部材５の面上へと移動する。
【００３９】
案内部材５上端部と導液路４２１ａ下端開口縁との近接の程度は、導液路４２１ａから排出される薬液が案内部材５上へ乗り移れる程度、すなわち、導液路４２１ａから排出される薬液が滴状とならずに、両方の部分にまたがって連続する状態を形成する程度とするのが望ましく、これにより、導液路から案内部材への導出が円滑且つ安定となる。尤も、導液路４２１ａからの排出が十分に円滑に行なわれるのであれば、薬液が滴状に排出される程度の距離をおいてもよい。案内部材５の表裏面の面状部分には、導液路４２１ａから導出される薬液を案内し該面状部分に広げるために案内部材５の表裏面（面状部分）に上下方向に延びる多数の細溝５１が形成されている（図１（ａ）参照には上下方向の細溝を示す）。この溝の幅及び深さは、薬液の粘度及び供給量に応じて決められるが、通常、０．２〜２ｍｍ程度とするのが望ましい。
【００４０】
また、支持体２の底面には、案内部材５表裏面から間隔をおいて位置する２本の長脚２５と、これら長脚２５の周囲に配置された４本の短脚２６とが下方へ延びるように設けられている。これらの脚２５，２６のうち、長脚２５は手洗い部の排水口Ｂに挿入可能となっており、各短脚２６は長脚２５が排水口Ｂに挿入された状態で、支持体２を手洗い部Ａ上にほぼ水平に支持する。また、案内部材５と長脚との間には、支持体２底面から遮蔽部材２７が下方へ延びている。長脚２５に対し案内部材５、遮蔽部材２７は、これらの順に長さが短くなっており、長脚２５は支持体２を排水口に位置決めし、案内部材５は排水口に流下する水に接し、遮蔽部材２７は流下する水が導液路４２１ａに達しないように、各々の長さが決められている。
【００４１】
この薬液供給装置は、図６（ｂ）に示すように、カバー部材３の側壁３３の外側に、支持体２の起立壁２３を嵌合して緩衝室６を形成した後、カバー部材３から上方へ延びる接続部４１１に薬液容器１の口部１２を嵌入することにより組み立てられる。
【００４２】
上記のように構成された薬液供給装置は、次のように作用する。すなわち、薬液容器１内の薬液は、接続部４１１内に流入して導液路４２１ａから流出した後、案内部材５の面状部分へと案内される。そして、案内部材５上の薬液は、フラッシュ時に供給される水に洗い流されて貯水タンクの中に流れ込む。
【００４３】
この薬液供給装置の使用開始時又は薬液容器の交換時には、薬液容器１の口部１２を、支持体２上の供給部４に上方から押し込み、薬液容器１下面の封止シールを破る。これにより、薬液は、供給部４内の空気を追い出しながら流入する。そして、薬液が、小孔部４１２内に入ろうとしたときには、該小孔部内に空気塊が気泡状に存在しても、嵌入体４２の上面は傾斜面４２２とされているので、空気塊に作用する液圧の反力は、傾斜面４２２から斜めに上方に作用することとなり、これにより空気塊は小孔部外へと押し出される。その結果、薬液は、毛管作用により導液路を経て確実に案内部材に到達する。
【００４４】
上述の緩衝室６、カバー部材３の空気流通孔３４３、供給部４の緩衝孔４１４は、調整機構を構成しており、温度変化に対して次のように緩衝作用をする。例えば温度が上昇して薬液容器１が暖められた場合には、容器１内の空気が膨張し容器１内は正圧になる。この場合、薬液容器１内の薬液は押し出されて排出されるが、この薬液は導液路４２１ａの他、緩衝孔４１４を経て緩衝室６にも流れ込むため、薬液が導液路４２１ａへ過剰に流出するのが防止される。
【００４５】
一方、流水で冷やされる等して薬液容器１の温度が低下し、薬液容器１内の空気が収縮して負圧になると、空気流通孔３４３により大気圧または室内圧が作用している緩衝室６内の薬液は、緩衝孔４１４を経て薬液容器１内へ吸い込まれ、緩衝室内に薬液がない場合は緩衝孔から空気が吸引される。したがって、案内部材５上の水または薄められた薬液が導液路４２１ａを経て容器１側へ戻されるのを抑制することができる。また、薬液容器１内の負圧によって薬液の排出が制限されるのを、防止することができる。このように、緩衝室６は、温度変化によって薬液容器１内に圧力変化が生じた場合でも、薬液容器１と緩衝室６との間での薬液の流通が生じるため、容器１内の薬液が過剰に流出したり、或いは流出が制限されたりするのを防止することができる。
【００４６】
しかも、導液路４２１ａから案内部材５へ導出された薬液は、案内部材５に沿って下方へと案内されるので、フラッシュ時に流れる水が案内部材５に接触しても、この水が案内部材５を伝って導液路４２１ａまで到達するのを抑制することができ、薬液容器１内に水が混入して薬液が薄められるのを防止することができる。
【００４７】
この薬液供給装置においては、通常時に薬液を供給するのは、供給部４の嵌入体４２に設けられた細い縦溝４２１と、管状部４１の細管４１０内側面とにより形成される導液路４２１ａである。この導液路４２１ａは、縦溝４２１自身の下端開口縁が、半円形の滑らかな曲線となっていても、該開口縁が供給部内壁面と接する部分は角部となる。こうして下端開口縁の滑らかな曲線形状が一部遮断されることにより、開口縁に到達した薬液の表面張力は該遮断部分で不連続となり、均一状の分散が破られる等で、排出抵抗の低下が生じ、その結果、薬液は供給部から円滑に導出される。
【００４８】
温度変化に対する薬液流出入の緩衝作用を円滑にするために、緩衝孔４１４は、導液路４２１ａより、流動抵抗が小さくされているのが望ましい。通常時の薬液の導出と、温度変化時の緩衝作用とについては、次のような原理が働くものと考えられる。通常時は、薬液容器１内の薬液は管状部４１の導液路４２１ａを経て案内部材５に導かれる。薬液流出による薬液容器１内の負圧は、カバー部材３の空気流通孔３４３から空気が流入することにより補われる。このとき、薬液は、緩衝孔４１４よりも導液路４２１ａからほとんど流出する。これは、導液路４２１ａには毛管作用が働き、さらに案内部材５が当接または近接して薬液を該案内部材５へと導くように表面張力やヌレ作用が働くのに対し、緩衝孔４１４にはこのように隣接する部材がないので薬液導出作用が働かず、薬液の粘性やメニスカス形成、薬液容器内圧力と緩衝室内圧力とのバランス等の保持作用により緩衝室６を経る薬液流が抑制されるからであると考えられる。薬液容器１の温度が上昇し容器内の圧力が上昇したときには、その正圧が緩衝孔４１４での保持作用を破り、緩衝孔４１４を薬液が通過して緩衝室６に流入し、また、薬液容器１の温度が低下して容器内の圧力が低下したときには、その負圧により緩衝室６に一時的に貯えられた薬液が緩衝孔４１４を通って薬液容器に戻されるという原理が働くものと考えられる。
【００４９】
導液路４２１ａを形成するための縦溝４２１は、複数設けることもできる。この場合、導液路の総開口面積（すべての導液路の開口面積の和）は、薬液の排出量を適切にし、過剰な排出または排出量不足を防止するように調整される。また、温度変化に対する緩衝作用を円滑にするために、緩衝孔の流動抵抗は、導液路の流動抵抗より小さいことが好ましい。
【００５０】
このようにして、緩衝作用のための緩衝孔からの流出入と、導液路からの通常時の流出とを安定的に且つ適正な量に保つことができ、薬液の正確な排出を確実に行なうことが可能となる。このためには、薬液として芳香洗浄剤を使用する場合は、通常の薬液粘度（９０〜１０００mPa・s［液温２５℃において］）に対して、導液路は  例えば、半径０．２ｍｍ〜０．３ｍｍの扇形（中心角４５度程度）、緩衝孔は半径０．６ｍｍ〜０．９ｍｍの円形（１〜５個程度）の大きさとすることができるが、これらに限定されるわけではない。
【００５１】
前述のように、この導液路４２１ａは、嵌入体４２の外側面に設けられた縦溝と、細管４１０の内側面とにより形成される。したがって、製造のためのモールド成形型は、嵌入体側の型には、嵌入体に対応した凹部と、縦溝４２１に対応する縦状の突起とを設け、細管側の型には、細管４１０に対応する環状凹所を設ければよい。したがって、細い導液路に対応した細長い針状部分などを製造型に設ける必要がなく、損傷を生じ難い型による安定した製造が可能となる。
【００５２】
案内部材５は、下端部が手洗い部の排水口に挿入されるので、排出された薬液は、案内部材５に沿って排水口内に案内される。手洗い部の排水口には、手洗い部の形態に関わらず、放水タップからの流水が流れ込むため、案内部材５上の薬液は流水によって確実に洗い流される。したがって、本実施形態に係る薬液供給装置は、例えば放水タップの位置、手洗い部の形態に依存することなく、種々のトイレで使用することができる。また、案内部材５上の薬液は、流水に洗い流されることにより、直接排水口に流入するため、例えば薬液に色素などの成分が含まれている場合であっても、この色素によって手洗い部が汚されるのを防止することができる。
【００５３】
図１１は、本発明の第２の実施形態を示している。この図は、図７に示した箇所に対応した部分を示しており、図７の例とは、嵌入体の形態が異なる。すなわち、この例では、細管４１０内の一部を遮って導液路を形成する遮蔽部は、嵌入体４２’により形成されており、嵌入体４２’は、上面が、細管４１０の上端とほぼ同じ高さとされている。したがって、導液路４２１ａの上端が、細管４１０の上端とほぼ同じ高さとなっており、該導液路の上方に空気溜まりが生じないようなっている。この実施形態に係る薬液供給装置も、使用開始時又は薬液容器の交換時には、薬液容器１の口部１２を、支持体２上の供給部４に上方から押し込み、薬液容器１下面の封止シールを破る。これにより、薬液は、供給部４内の空気を追い出しながら流入する。そして、嵌入体４２’の縦溝４２１と細管４１０の内壁面とにより導液路４２１ａが形成され、導液路４２１ａの上端が細管４１０の上端とほぼ同じ高さとなっている。したがって、細管４１０内に微小気泡が存在して進入を妨げるということがなく、薬液は、毛管作用により導液路４２１ａを経て確実に案内部材５に到達する。嵌入体４２’によるこの作用を得るためには、嵌入体４２’における縦溝形成部分は、空気溜まりを生じないように細管４１０の上端とほぼ同じ高さとされ、或いは、より高い位置に達するようにしてもよい。  以上、本発明の実施形態について説明したが、本発明はこれに限定されるものではなく、その趣旨を逸脱しない限りにおいて種々の変更が可能である。例えば、前述の例では、薬液容器の薬液収納部を２つとし、これに対応して緩衝室などを２つ設けたが、これらを各々１つまたは３つ以上とすることもできる。
【００５４】
嵌入体４２の傾斜面４２２の傾斜は、図７の例の４５度に限らず、例えば、水平面に対して５〜８５度、或いは１５〜７５度等、液体の粘度、使用条件等に応じて、傾斜面から作用する液圧反力により該小孔部内から押し出すように、適宜決めることができる。
【００５５】
また、嵌入体４２の傾斜面４２２の形態は、図１２Ａに示すように、種々の形態とすることができる。図１２Ａにおける（a-1）〜（a-8）は、図７の実施形態の変形例であり、（a-1）は傾斜面４２２の上端が細管４１０の上端より低い位置、(a-2)は傾斜面４２２の上端が細管４１０の上端より高い位置にある例を示している。これらのように傾斜面４２２の上端が細管４１０の上端より低く又は高くなっていても、導液路４２１ａに接続する小孔部の下面が傾斜面４２２を備えていれば、前述のように小孔部内の空気塊の押し出しが行なわれる。(a-3)は、(a-1)の例に対し傾斜面４２２の傾斜方向を逆にしたものである。このように、傾斜面４２２は、必ずしも導液路４２１ａに向かって下降する方向に傾斜していなくてもよい。但し、(a-1), (a-2)の例のように、傾斜面４２２が、導液路４２１ａに向かって下降する方向に傾斜していると、細管４１０の上端に達した液体が傾斜面４２２に到達しやすく、空気塊の押し出し作用が発揮されやすい。さらに、 (a-3)の例の場合のように傾斜面と細管との間に液体が溜まる、という不具合が生じることがない。
（a-4）は、嵌入体４２の中央部を頂点とし縁部に向けて下降する傾斜面４２２としたものである。頂点の位置は中央部付近とし、或いは偏心した位置としてもよい。(a-5)及び(a-6)は、傾斜する小孔部４１２下面（嵌入体４２上面）の一部に水平面が含まれている例を示している。小孔部４１２の下面は、全体が傾斜面となっている方が傾斜面４２２による空気塊の押し出し作用を得る上では有利であるが、このように、小孔部４１２下面の一部に水平面が含まれていても、傾斜面４２２による空気塊の押し出し作用は得られる。小孔部下面における傾斜面の占める割合は、液体の粘度、使用条件等に応じて、傾斜面による小孔部内からの空気塊押し出し作用が得られるように、適宜決めることができる。（a-7）は、は傾斜面４２２を凹状の曲面としたものであり、（a-8）は、傾斜面４２２を凸状の曲面としたものである。この他、種々の形態の傾斜面とすることができる。傾斜面の傾斜の程度は、図７の例について説明した範囲を適用することができる。
【００５６】
図１２Ｂの（b-1）〜（b-4）は、図１１の実施形態の変形例であり、(b-1)は嵌入体４２’の上面４２５を傾斜面とした例、(b-2)は、嵌入体４２’の上面４２５に段状の切欠きを設けた例である。いずれも、その嵌入体４２’上面の上端側に縦溝を形成することにより、導液路４２１ａの上端が細管４１０の上端とほぼ同じ高さに達している。したがって、導液路４２１ａと反対側に凹所４２６が存在するが、これによって導液路の上方に空気溜まりを生じることはない。(b-3)〜(b-6)は、嵌入体を細管４１０の上端から突出させた例であり、(b-3)は円柱形の突出部、(b-4)は半球状の突出部、(b-5)は上面４２５を導液路４２１ａに向かって下降する傾斜面としたもの、（b-6）は、前記（b-5）に対して、上面４２５の傾斜方向を逆にしたものである。導液路４２１ａは、嵌入体４２の縦溝と細管４１０の内壁面とにより形成されるので、このように嵌入体４２が細管４１０から突出している場合にも、導液路４２１ａの上端が細管４１０の上端と同じ高さに達した状態が得られる。
【００５７】
導液路は、前述の例のように嵌入体４２の縦溝４２１と細管４１０とで形成するのに代えて、図８及び図１０に示す形態とすることができる。すなわち、細管４１０の内壁を径方向内側に張り出させて閉鎖部４２０とし、その中央部等、閉鎖部４２０の適所に貫通孔を形成し、この貫通孔を導液路４２１ａとする。この貫通孔の下端開口縁も、図８に示すように、半円形（ｄ）、三角形（ｅ）、四角形（ｆ）の他、円形や長円形など、種々の形状とすることができる。また、該貫通孔は、少なくとも１箇所に角部を有する形状とするのが望ましい。案内部材５の上端面には、案内部材を厚さ方向に横切って延びる細溝５２が設けられており、薬液は導液路４２１ａから細溝５２を経て案内部材５の表裏面へと移動する。細溝５２の幅及び深さは、薬液の粘度及び供給量に応じて決められるが、通常、０．２〜２ｍｍ程度とするのが望ましい。
【００５８】
前述のように、導液路４２１ａを流下した薬液は、底壁２１及び案内部材５の上面と細管４１０下端との間隙４２３を経て通孔４４（図９）を通り、案内部材５の面上へと移動する。薬液の粘度等によっては、通孔４４は、薬液の流れを妨げないように、断面積を広くするのが望ましい場合がある。図１３は、通孔４４を拡げた例を、案内部材の表裏面に垂直な断面により示している。すなわち、図示のように、通孔４４に望む底壁２１の角部を、斜め下方へ一部除去することにより、通孔を拡張している（拡張前の底壁２１の角部を一点鎖線で示す）。これにより、導液路４２１ａを流下した薬液は、円滑に通孔４４から案内部材５の表裏面へと移動する。案内部材５の上端面は、図１０に示したように、案内部材の厚さ方向に延びる細溝５２が設けられているので、薬液は導液路４２１ａから細溝５２を経て案内部材５の表裏面へと移動する。
【００５９】
また、上記案内部材５は、必ずしも排水口への挿入位置にある必要はなく、排水口に臨む位置など、流水に接触する他の位置に配置されていてもよい。上記説明では案内部材５の上端部が、導液路４２１ａ下端の開口縁に近接しているものを示したが、導液路４２１ａ下端の開口縁に案内部材５の上端部を当接させるようにすることもできる。案内部材５上端との当接状態に関しては、導液路４２１ａの下端開口縁を、次のように定めることができる。すなわち、この例のように、案内部材５の上端面が縦溝４２１の開口部より広く導液路４２１ａ全体を覆っていても、案内部材５上端面の細溝により薬液が案内部材５の面状部分に案内される場合は、縦溝４２１と細管４１０内周面とによる開口縁部が導液路の下端開口縁となる。閉鎖部４２０の貫通孔による導液路４２１ａの場合も同様であり、貫通孔の下端開口縁が導液路４２１ａの下端開口縁となる。一方、案内部材５の上端面の幅が縦溝４２１の開口部より狭い場合は、縦溝４２１の縁部、細管４１０の内周面、及び案内部材５の外周面が囲む部分、或いは、閉鎖部４２０の貫通孔の縁部と案内部材５の外周面とが囲む部分が、導液路４２１ａの下端開口縁となる。
【００６０】
案内部材５は、支持体２内に入り込むようにすることもでき、この場合、案内部材５と導液路４２１ａ下端開口縁とは支持体２内で当接或いは近接する。このようにすると、流水が導液路４２１ａ内に流入するのをより確実に防止することができる。
【００６１】
また、案内部材５の形状は上記のように板状に限定されるものではなく、棒状、或いは筒状に形成されたものであってもよく、薬液を、断続的に流れる液体と接触する位置へ案内し得る種々の形状とすることができる。
【００６２】
細溝５１の態様も、垂直方向に延びるものに限定されず、例えば斜め下方に延びるように形成したり、或いは格子状やドット状に形成することもできる。或いは、薬液が案内部材に十分に広がる場合には、細溝を省略することもできる。
【００６３】
さらに、案内部材５は、導液路４２１ａ下端の開口縁に当接または近接する部分（薬液受け部）を非浸透性の材料で構成し、他の部分を多孔質材料など薬液を保持し易い材料とし、薬液の導出量と保持量とを適切化することもできる。また、所望の薬液導出量及び保持量を得られるのであれば、導液路４２１ａから薬液を受ける部を浸透性の材料で構成することもできる。
【００６４】
さらに、本発明に係る薬液供給装置は、水洗トイレの貯水タンクの手洗い部に設置する用途の他、インタンク（タンク内に吊り下げて使用するタイプ）、リム式（便器の縁に取り付けるタイプ）、台所や浴室の排水口などのように、断続的に流れる液体に薬液容器内の薬液を供給する種々の用途に用いることができる。
【００６５】
また、本発明に係る通液構造は、上記薬液供給装置に設ける他、前述の芳香剤、消臭剤又は防虫剤を揮発用含浸体に微量ずつ供給する薬液揮散装置、肥料や害虫駆除剤を植物の根に与えるために土中に微量ずつ供給する薬液供給具、菌類等の培地に培養液を微量ずつ供給する培養液供給装置、液状の医薬を患者の体内に微量ずつ供給する投薬装置等、様々な物品に用いることができる。 
【実施例】
【００６６】
本発明の効果を明らかにするため、以下のようにして、本発明の実施例と他の仕様による比較例とを用いて実験を行なった。
(1) 共通事項
(a) 薬液供給装置の仕様
・実施例及び比較例とも、基本構造を同じとし、嵌入体（閉鎖部）の仕様のみを異にする仕様とした。
・細管の寸法：内径２．５ｍｍ、高さ４ｍｍ
・薬液容器に収納した薬液の粘度：２４０mPa・s  （液温２５℃において）
(b) 試験方法
・薬液供給装置の使用開始：新しい薬液供給装置本体に薬液容器を装着する。
・薬液容器の交換：薬液供給装置本体に一度、薬液容器を装着して薬液が案内部材まで到達した状態とし、一度、薬液容器内の薬液を全て導液路を経て流出させた後、その薬液容器を取り外し、新たな薬液容器と交換する。
・薬液が案内部材に到達したものと到達しなかったものについて、細管の縦断面が見えるようにＸ線写真を撮り、その画像を図面化した（図１５〜図２０）。
(2) 実施例の仕様
実施例１：図７に示した嵌入体を有する薬液供給装置（上面が傾斜）
・嵌入体上面の傾斜角：４５度
・嵌入体の長さ（下端から上端までの寸法）：４．０ｍｍ
・導液路（縦溝）の断面形状及び寸法：円弧状断面、半径０．３ｍｍ、深さ０．３ｍｍ
・嵌入体の中央に樹脂成形時の縦穴が残存（径１．０ｍｍ）
実施例２：図１０に示した嵌入体を有する薬液供給装置（導液路が貫通孔）
・導液路（貫通孔）の断面形状及び寸法：円形断面、直径０．９ｍｍ
実施例３：図１１に示した嵌入体を有する薬液供給装置（嵌入体上端が細管上面の位置）
・嵌入体の長さ（下端から上端までの寸法）：４．０ｍｍ
・導液路（縦溝）の断面形状及び寸法：円弧状断面、半径０．３ｍｍ、深さ０．３ｍｍ
・嵌入体の中央に樹脂成形時の縦穴が残存（径１．０ｍｍ）
・嵌入体上面：水平面
(3) 比較例の仕様
比較例１：図１４に示した嵌入体を有する薬液供給装置（嵌入体が短く上端が平ら）
・嵌入体の長さ（下端から上端までの寸法）：２．０ｍｍ
・嵌入体上面：水平面
・嵌入体上端から細管上端までの距離：２．０ｍｍ
・嵌入体の中央に樹脂成形時の縦穴が残存（径１．０ｍｍ）
比較例２：
・嵌入体中央の縦穴に樹脂を注入して塞いだ。
・他の仕様は、比較例１と同じ。
【００６７】
(4) 結果
実施例１〜３では薬液が案内部材に到達するが、比較例１及び２では薬液が案内部材に到達しない傾向が見られた。そこで、薬液が案内部材に到達したもの（実施例１〜３）、及び薬液が導液路を通過せず案内部材に到達しなかったもの（比較例１及び２）について、細管の縦断面が見えるようにＸ線写真を撮った。その画像を図面化したのが、図１５〜図２０である。図１５〜図１７は、各々実施例１〜３について薬液容器装着後の状態を示す。図１８及び図１９は、比較例１について各々薬液容器装着前及び装着後の状態、図２０は、比較例２について薬液容器装着後の状態を示す。各図の(a)は縦断正面（案内部材の面に沿う断面）、(b）は縦断側面（案内部材の厚さ方向に沿う断面）を示す。各図における斜線部（ハッチング部）は、薬液供給装置における細管、嵌入体及びその周辺部分を示し、密度の疎らな斑点部分は薬液、密な斑点部分は空気を示している。但し、図１８は、細管及び嵌入体の構造を明示するために、薬液及び空気は示さず、構造部分のみを示している。
(5) 結果の評価
図１５、図１６、図１７においては、いずれも、小孔部４１２又は細管４１０内に空気が残存せず、導液路４２１ａ内に薬液が通っている状態が示されている。図１９及び図２０では、小孔部４１２に空気が半球状に残存し、これにより導液路４２１ａが塞がれている。なお、比較例２（図２０）は、嵌入体４２の中央にある樹脂成形時の縦穴の影響を調べたものである。比較例１及び２共、半球状に空気が残存しているので、嵌入体中央の縦穴は、小孔部の空気の移動に影響しないことがこれにより、確かめられた。
【００６８】
以上から、案内部材に薬液が到達するか否かを決定する要因として、導液路への薬液の進入が空気塊の残存による閉塞の有無があることが明らかとなった。そして、小孔部の下面が嵌入体の水平面により形成され、該水平面より上方に円柱状の小孔部が形成されている場合（比較例１及び２）に案内部材に薬液が到達しないのは、小孔部の残留空気により導液路が塞がれるからであり、小孔部の下面が傾斜面を備えている場合（実施例１及び２）、並びに、導液路の上端が細管の上端とほぼ同じ高さに達している場合（実施例３）に薬液が案内部材に到達するのは、小孔部又は細管の残留空気による導液路の閉塞がないからであることが明らかである。
【図面の簡単な説明】
【００６９】
【図１】薬液供給装置の基本構造を示す正面図（ａ）及び側面図（ｂ）である。
【図２】図１に示す薬液供給装置を分解して示す正面図である。
【図３】図１に示す薬液供給装置の薬液収納部の縦断正面図である。
【図４】図１に示す薬液供給装置のカバー部材の平面図（ａ）及び縦断正面図（ｂ）である。
【図５】図１に示す基本構造を用いた本発明の一実施形態に係る通液構造を有した薬液供給装置における支持体の平面図（ａ）及び縦断正面図（ｂ）である。
【図６】本発明の一実施形態に係る通液構造を有した薬液供給装置におけるカバー部材及び支持体を、分解して示す斜視図（ａ）及び組み合わせ状態の縦断正面図（ｂ）である。
【図７】図６に示した細管及び嵌入体の嵌合について、（ａ）は嵌合前の状態を示す斜視図、（ｂ）は嵌合後の状態を示す縦断面図である。
【図８】導液路を形成する縦溝及び貫通孔の種々の断面形状を示す横断面図である。
【図９】図５に示した支持体について、細管を中心に示す横断面図である。
【図１０】本発明の他の実施形態に係る通液構造を有した薬液供給装置の細管及び嵌入体の嵌合状態を示す縦断面図である。
【図１１】本発明のさらに他の実施形態に係る通液構造を有した薬液供給装置の細管及び嵌入体の嵌合について、（ａ）は嵌合前の状態を示す斜視図、図７（ｂ）は嵌合後の状態を示す縦断面図である。
【図１２Ａ】図７に示した嵌入体についての種々の変形例を示す縦断面図である。
【図１２Ｂ】図１１に示した嵌入体についての種々の変形例を示す縦断面図である。
【図１３】導液路の下方に位置する通孔を拡張した例示す縦断面図である。
【図１４】従来の薬液供給装置における細管及び嵌入体の嵌合について、（ａ）は嵌合前の状態を示す斜視図、（ｂ）は嵌合後の状態を示す縦断面図である。
【図１５】本発明の実施例１の細管付近のＸ線画像を図面化したものであり、（ａ）は縦断正面、（ｂ）は縦断側面を示す。
【図１６】本発明の実施例２の細管付近のＸ線画像を図面化したものであり、（ａ）は縦断正面、（ｂ）は縦断側面を示す。
【図１７】本発明の実施例３の細管付近のＸ線画像を図面化したものであり、（ａ）は縦断正面、（ｂ）は縦断側面を示す。
【図１８】本発明の比較例１の細管付近のＸ線画像を図面化したものであり、薬液及び空気を省略した構造部分について、（ａ）は縦断正面、（ｂ）は縦断側面を示す。
【図１９】本発明の比較例１の細管付近のＸ線画像を図面化したものであり、（ａ）は縦断正面、（ｂ）は縦断側面を示す。
【図２０】本発明の比較例２の細管付近のＸ線画像を図面化したものであり、（ａ）は縦断正面、（ｂ）は縦断側面を示す。
【符号の説明】
【００７０】
１：薬液容器
２：支持体
３：カバー部材
４：供給部
５：案内部材
６：緩衝室（調整機構）
４２：嵌入体
４１０：細管
４１２：小孔部
４２１：縦溝
４２１ａ：導液路
４２２：傾斜面
【図１】
0005478002.tif 000002
【図２】
0005478002.tif 000003
【図３】
0005478002.tif 000004
【図４】
0005478002.tif 000005
【図５】
0005478002.tif 000006
【図６】
0005478002.tif 000007
【図７】
0005478002.tif 000008
【図８】
0005478002.tif 000009
【図９】
0005478002.tif 000010
【図１０】
0005478002.tif 000011
【図１１】
0005478002.tif 000012
【図１２Ａ】
0005478002.tif 000013
【図１２Ｂ】
0005478002.tif 000014
【図１３】
0005478002.tif 000015
【図１４】
0005478002.tif 000016
【図１５】
0005478002.tif 000017
【図１６】
0005478002.tif 000018
【図１７】
0005478002.tif 000019
【図１８】
0005478002.tif 000020
【図１９】
0005478002.tif 000021
【図２０】
0005478002.tif 000022